【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
患者通信システムであって、
第１の手法に関連する第１の医療データを、第１のソケットに通信可能に接続する第１の医療感知装置から受信するように構成される第１のソケットと、
前記第１のソケットと通信するコントローラであって、前記第１の医療データを前記第１のソケットによってアナログ方式で受信する場合は、前記第１の医療データをデジタル化するように構成されるコントローラであり、前記第１の医療感知装置が前記第１のソケットに接続されると、前記第１の医療感知装置の電力要件に基づいて、前記第１の医療感知装置に供給するための、第１の動的電力量を自動的に決定するように前記コントローラが更に構成される、該コントローラと、
前記コントローラと通信するネットワーク通信モジュールであって、前記デジタル化された第１の医療データをデータネットワークに送信するように構成されるネットワーク通信モジュールと、
前記コントローラと通信する第１の電力モジュールであって、前記第１の動的電力量を前記第１の医療感知装置に前記第１のソケットを通じて、前記コントローラが決定した前記第１の医療感知装置の電力要件に基づいて提供するように構成される第１の電力モジュールと、
を備える、システム。
【請求項２】
請求項１に記載の患者通信システムであって、前記コントローラは、接続すると、操作属性を判断するために、前記第１の医療感知装置と通信するようにさらに構成され、前記操作属性は、前記第１の医療感知装置の通信プロトコルを含む、システム。
【請求項３】
請求項１に記載の患者通信システムであって、前記第１の医療感知装置と前記第１のソケットとの間に通信可能に介入し、前記第１の医療データを前記第１の医療感知装置から受信するように操作可能であり、前記第１の医療データを前記ソケットに送信する第１の患者隔離モジュールを含み、前記第１の患者隔離モジュールは、前記ソケットからの電力を前記第１の医療感知装置まで経路指定するようにさらに操作可能である、システム。
【請求項４】
請求項１に記載の患者通信システムであって、前記コントローラは、前記第１の医療データを前記第１の手法に関連する第１の処理アプリケーションを用いて処理し、第１の処理された医療データを作成するように構成され、前記システムは、グラフィックコントローラを更に含み、前記グラフィックコントローラは、ハウジング内に配置され、前記コントローラと通信可能に接続され、前記グラフィックコントローラは、前記第１の処理された医療データをディスプレイに送るように操作可能である、システム。
【請求項５】
請求項１に記載の患者通信システムであって、
第２の手法に関連する第２の医療データを、第２のソケットに通信可能に接続する第２の医療感知装置から受信するように構成される第２のソケットであって、前記第２の手法は前記第１の手法とは異なるソケットと、
第２の動的電力量を前記第２の医療感知装置に前記第２のソケットを通じて、前記第２の医療感知装置の電力要件に基づいて提供するように構成される第２の電力モジュールと、
をさらに含む、システム。
【請求項６】
請求項５に記載の患者通信システムであって、前記第２の動的電力量は前記第１の動的電力量とは異なる、システム。
【請求項７】
請求項１に記載の患者通信システムであって、前記第１の医療感知装置は、身体の血管に入るように構成されるカテーテルを含み、前記カテーテルは、血管内超音波（ＩＶＵＳ）撮像、光干渉断層撮影（ＯＣＴ）、冠血流予備量値（ＦＦＲ）判定、フォワードルッキングＩＶＵＳ（ＦＬ−ＩＶＵＳ）撮像、および血管内光音響（ＩＶＰＡ）撮像のうち１つのために構成されるセンサを含む、システム。
【請求項８】
請求項１に記載の患者通信システムであって、前記ネットワーク通信モジュールは、第２の手法に関連する第２の医療データを第２の医療感知装置から無線で受信するように構成される、システム。
【請求項９】
請求項１に記載の患者通信システムであって、前記ネットワーク通信モジュールは、前記データネットワークに無線で通信可能に接続する、システム。
【請求項１０】
患者通信システムを用いて医療感知データを収集する方法であって、
第１のソケットを通じて、第１の手法に関連する第１の医療データを、第１の医療感知装置から受信することと、
前記第１の医療データをアナログ方式で受信する場合は、前記第１の医療感知装置に通信可能に接続されるコントローラを用いて、前記第１の医療データをデジタル化することと、
ハウジング内に配置されるネットワーク通信モジュールを用いて、前記デジタル化された第１の医療データを、データネットワークに送信することと、
前記第１の医療感知装置が接続される際に、前記第１の医療感知装置の電力要件に基づいて、前記第１の医療感知装置に供給するための第１の動的電力量を、前記コントローラを用いて自動的に決定することと、
前記第１の動的電力量を、前記ハウジング内に配置される第１の電力モジュールを用いて、前記第１の医療感知装置に提供することと、
を備える、方法。
【請求項１１】
請求項１０に記載の方法であって、接続すると、前記第１の医療感知装置と通信して、その操作属性を判断することをさらに含み、前記操作属性は、前記第１の医療感知装置の通信プロトコルを含む、方法。
【請求項１２】
請求項１０に記載の方法であって、前記コントローラを用いて、前記第１の医療データを、前記第１の手法に関連する第１の処理アプリケーションを用いて処理し、第１の処理された医療データを作成すること、及び
グラフィックコントローラを用いて、第１の処理された医療データをディスプレイに出力することを含む、方法。
【請求項１３】
請求項１０に記載の方法であって、
前記ハウジング上に配置される第２のソケットを通じて、第２の手法に関連する第２の医療データを前記第２のソケットに通信可能に接続する第２の医療感知装置から受信することであって、前記第２の手法は前記第１の手法とは異なることと、
前記第２の医療データをアナログ方式で受信する場合は、前記コントローラを用いて、前記第２の医療データをデジタル化することと、
前記ネットワーク通信モジュールを用いて、前記デジタル化された第２の医療データを前記データネットワークに送信することと、
第２の動的電力量を、前記ハウジング内に配置される第２の電力モジュールを用いて、前記第２のソケットを通じて前記第２の医療感知装置に提供することと、
をさらに含む、方法。
【請求項１４】
請求項１３に記載の方法であって、前記第２の動的電力量は前記第１の動的電力量とは異なる、方法。
【請求項１５】
請求項１０に記載の方法であって、前記第１の医療データは、血管内超音波（ＩＶＵＳ）撮像データ、光干渉断層撮影（ＯＣＴ）データ、冠血流予備量値（ＦＦＲ）データ、フォワードルッキングＩＶＵＳ（ＦＬ−ＩＶＵＳ）撮像データ、および血管内光音響（ＩＶＰＡ）撮像データのうちの１つを含む、方法。
【手続補正２】
【補正対象書類名】明細書
【補正対象項目名】００４１
【補正方法】変更
【補正の内容】
【００４１】
例示実施形態を図示し、説明してきたが、広範な修正、変更および代替を前述の開示で企図している。ある事例では、本開示の一部の特徴を、該特徴に対応する別の特徴を使用することなく、使用してもよい。たとえば、一部の実施形態では、医療感知通信システム１００を用いて、頭部動脈または抹消動脈からのデータなどの心臓血管ではない診断データ、ならびに脈管ではない身体部分からのデータを処理してもよい。さらに、システム１００を用いて、ＭＲＩデータを収集および処理してもよく、またはコンピュータ支援手術（ＣＡＳ）での応用に利用してもよい。このような変形は、本開示の範囲から逸脱することなく、前述のように行うことができることを理解されたい。したがって、添付の請求項が広範に、かつ本開示の範囲と一致する様式で解釈されることが適切である。
本発明は、一側面において以下の発明を包含する：
（発明１）
患者通信システムであって、
ハウジングと、
前記ハウジング上に配置され、第１の手法に関連する第１の医療データを、第１のソケットに通信可能に接続する第１の医療感知装置から受信するように構成される第１のソケットと、
前記ハウジング内に配置され、前記第１の医療データを前記第１のソケットによってアナログ方式で受信する場合は、前記第１の医療データをデジタル化するように構成されるコントローラと、
前記ハウジング内に配置され、前記デジタル化された第１の医療データをデータネットワークに送信するように構成されるネットワーク通信モジュールと、
前記ハウジング内に配置され、第１の動的電力量を前記第１の医療感知装置に前記第１のソケットを通じて、前記第１の医療感知装置の電力要件に基づいて提供するように構成される第１の電力モジュールと、
を備える、システム。
（発明２）
発明１に記載の患者通信システムであって、前記コントローラは、接続すると、操作属性を判断するために、前記第１の医療感知装置と通信するようにさらに構成される、システム。
（発明３）
発明２に記載の患者通信システムであって、前記操作属性は、前記第１の医療感知装置の電力要件と、前記第１の医療感知装置の通信プロトコルのうちの少なくとも１つを含む、システム。
（発明４）
発明２に記載の患者通信システムであって、前記コントローラは、接続すると、低電圧ＴＴＬロジック初期化過程を用いて、前記第１の医療感知装置と通信するように構成される、システム。
（発明５）
発明１に記載の患者通信システムであって、前記第１の医療感知装置と前記第１のソケットとの間に通信可能に介入し、前記第１の医療データを前記第１の医療感知装置から受信するように操作可能であり、前記第１の医療データを前記ソケットに送信する第１の患者隔離モジュールを含み、前記第１の患者隔離モジュールは、前記ソケットからの電力を前記第１の医療感知装置まで経路指定するようにさらに操作可能である、システム。
（発明６）
発明１に記載の患者通信システムであって、前記コントローラは、前記第１の医療データを前記第１の手法に関連する第１の処理アプリケーションを用いて処理し、第１の処理された医療データを作成するように構成される、システム。
（発明７）
発明６に記載の患者通信システムであって、前記ハウジング内に配置され、前記コントローラに通信可能に接続するグラフィックスコントローラを含み、前記グラフィックスコントローラは前記第１の処理された医療データをディスプレイまで移動させるように操作可能である、システム。
（発明８）
発明１に記載の患者通信システムであって、
前記ハウジング上に配置され、第２の手法に関連する第２の医療データを、第２のソケットに通信可能に接続する第２の医療感知装置から受信するように構成される第２のソケットであって、前記第２の手法は前記第１の手法とは異なるソケットと、
前記ハウジング内に配置され、第２の動的電力量を前記第２の医療感知装置に前記第２のソケットを通じて、前記第２の医療感知装置の電力要件に基づいて提供するように構成される第２の電力モジュールと、
をさらに含む、システム。
（発明９）
発明８に記載の患者通信システムであって、前記第２の動的電力量は前記第１の動的電力量とは異なる、システム。
（発明１０）
発明８に記載の患者通信システムであって、前記コントローラは、前記第１の医療データを前記第１の手法に関連する第１の処理アプリケーションを用いて処理し、第１の処理された医療データを作成するように構成され、前記第２の医療データを前記第１の処理アプリケーションとは異なる、前記第２の手法に関連する第２の処理アプリケーションを用いて処理し、第２の処理された医療データを作成するように構成される、システム。
（発明１１）
発明８に記載の患者通信システムであって、前記コントローラは、前記第１および第２の医療データを重ね合わせ処理アプリケーションを用いて処理し、重ね合わせた医療データを作成するように操作可能である、システム。
（発明１２）
発明１に記載の患者通信システムであって、前記第１の医療感知装置は、身体の血管に入るように構成されるカテーテルを含む、システム。
（発明１３）
発明１２に記載の患者通信システムであって、前記カテーテルは、血管内超音波（ＩＶＵＳ）撮像、光干渉断層撮影（ＯＣＴ）、冠血流予備量値（ＦＦＲ）判定、フォワードルッキングＩＶＵＳ（ＦＬ−ＩＶＵＳ）撮像、および血管内光音響（ＩＶＰＡ）撮像のうちの１つのために構成されるセンサを含む、システム。
（発明１４）
発明１に記載の患者通信システムであって、前記ネットワーク通信モジュールは、第２の手法に関連する第２の医療データを第２の医療感知装置から無線で受信するように構成される、システム。
（発明１５）
発明１に記載の患者通信システムであって、前記ネットワーク通信モジュールは、前記データネットワークに無線で通信可能に接続する、システム。
（発明１６）
患者通信システムを用いて医療感知データを収集する方法であって、
前記患者通信システムのハウジング上に配置される第１のソケットを通じて、第１の手法に関連する第１の医療データを、前記第１のソケットに通信可能に接続する第１の医療感知装置から受信することと、
前記第１の医療データをアナログ方式で受信する場合は、前記ハウジング内に配置されるコントローラを用いて、前記第１の医療データをデジタル化することと、
前記ハウジング内に配置されるネットワーク通信モジュールを用いて、前記デジタル化された第１の医療データを、データネットワークに送信することと、
第１の動的電力量を、前記ハウジング内に配置される第１の電力モジュールを用いて、前記第１のソケットを通じて前記第１の医療感知装置に提供することと、
を備える、方法。
（発明１７）
発明１６に記載の方法であって、接続すると、前記第１の医療感知装置と通信して、その操作属性を判断することをさらに含む、方法。
（発明１８）
発明１７に記載の方法であって、前記操作属性は、前記第１の医療感知装置の電力要件および前記第１の医療感知装置の通信プロトコルのうちの少なくとも１つを含む、方法。
（発明１９）
発明１７に記載の方法であって、前記通信は、低電圧ＴＴＬロジック初期化過程を用いて、前記第１の医療感知装置と通信することを含む、方法。
（発明２０）
発明１６に記載の方法であって、前記コントローラを用いて、前記第１の医療データを、前記第１の手法に関連する第１の処理アプリケーションを用いて処理し、第１の処理された医療データを作成することを含む、方法。
（発明２１）
発明２０に記載の方法であって、グラフィックスコントローラを用いて、前記第１の処理された医療データをディスプレイに出力することを含む、方法。
（発明２２）
発明１６に記載の方法であって、
前記ハウジング上に配置される第２のソケットを通じて、第２の手法に関連する第２の医療データを前記第２のソケットに通信可能に接続する第２の医療感知装置から受信することであって、前記第２の手法は前記第１の手法とは異なることと、
前記第２の医療データをアナログ方式で受信する場合は、前記コントローラを用いて、前記第２の医療データをデジタル化することと、
前記ネットワーク通信モジュールを用いて、前記デジタル化された第２の医療データを前記データネットワークに送信することと、
第２の動的電力量を、前記ハウジング内に配置される第２の電力モジュールを用いて、前記第２のソケットを通じて前記第２の医療感知装置に提供することと、
をさらに含む、方法。
（発明２３）
発明２２に記載の方法であって、前記第２の動的電力量は前記第１の動的電力量とは異なる、方法。
（発明２４）
発明２２に記載の方法であって、前記コントローラを用いて、前記第１の医療データを前記第１の手法に関連する第１の処理アプリケーションを用いて処理し、第１の処理された医療データを作成することと、前記コントローラを用いて、前記第２の医療データを前記第１の処理アプリケーションとは異なる、前記第２の手法に関連する第２の処理アプリケーションを用いて処理し、第２の処理された医療データを作成することとを含む、方法。
（発明２５）
発明２２に記載の方法であって、前記第１および第２の医療データを重ね合わせ処理アプリケーションを用いて処理し、重ね合わせた医療データを作成することを含む、方法。
（発明２６）
発明１６に記載の方法であって、前記第１の医療データは、血管内超音波（ＩＶＵＳ）撮像データ、光干渉断層撮影（ＯＣＴ）データ、冠血流予備量値（ＦＦＲ）データ、フォワードルッキングＩＶＵＳ（ＦＬ−ＩＶＵＳ）撮像データ、および血管内光音響（ＩＶＰＡ）撮像データのうちの１つを含む、方法。
（発明２７）
患者通信システムであって、
第１の手法に関連する第１の医療データを第１の身体感知装置から受信し、第２の手法に関連する第２の医療データを第２の身体感知装置から受信するように構成される制御モジュールと、
第１の電力量を前記第１の身体感知装置の電力要件に基づいて、前記第１の身体感知装置に動的に提供するように構成される第１の電力モジュールと、
第２の電力量を前記第２の身体感知装置の電力要件に基づいて、前記第２の身体感知装置に動的に提供するように構成される第２の電力モジュールと、
前記第１および第２の医療データをデータネットワークに送信するように操作可能である通信モジュールと、
を備える、システム。
（発明２８）
発明２７に記載の患者通信システムであって、前記第２の電力量は前記第１の電力量とは異なる、システム。
（発明２９）
発明２７に記載の患者通信システムであって、前記第１の医療データを前記第１の身体感知装置から前記制御モジュールに転送するように操作可能であり、前記第１の電力モジュールと前記第１の身体感知装置との間の電力を転送するように操作可能である第１の患者隔離モジュールを含む、システム。
（発明３０）
発明２９に記載の患者通信システムであって、前記第１の患者隔離モジュールは、無線で前記制御モジュールに通信可能に接続する、システム。
（発明３１）
発明２７に記載の患者通信システムであって、前記通信モジュールに通信可能に接続し、前記データネットワークから受信する処理された第１および第２の医療データを表示するように操作可能であるユーザインタフェース装置を含む、システム。
（発明３２）
発明３１に記載の患者通信システムであって、前記通信モジュールは、前記データネットワークから受信する前記処理された第１および第２の医療データを前記ユーザインタフェース装置に経路指定するように操作可能である、システム。
（発明３３）
発明３１に記載の患者通信システムであって、前記ユーザインタフェース装置は、無線で前記通信モジュールに通信可能に接続する、システム。
（発明３４）
発明２７に記載の患者通信システムであって、前記制御モジュールに通信可能に接続するディスプレイモジュールを含み、
前記制御モジュールは、前記第１および第２の医療データを処理するようにさらに操作可能であり、
前記ディスプレイモジュールは、前記処理された第１および第２の医療データをディスプレイに出力するように操作可能である、
システム。
（発明３５）
発明２７に記載の患者通信システムであって、前記通信モジュールは、無線で前記データネットワークに通信可能に接続する、システム。
（発明３６）
患者通信システムの使用方法であって、
第１の身体感知装置を第１の患者隔離モジュールに接続することであって、前記第１の身体感知装置はその上に配置される第１のセンサを含むことと、
前記第１の患者隔離モジュールをハブに接続することであって、前記ハブはデータネットワークに通信可能に接続することと、
第２の身体感知装置を第２の患者隔離モジュールに接続することであって、前記第２の身体感知装置はその上に配置される第２のセンサを含むことと、
前記第２の患者隔離モジュールを前記ハブに接続すること、
前記第１のセンサを使用して、患者に関連する第１の医療特性データを収集することであって、前記使用には、前記第１の医療特性データを前記ハブに送信することを含むことと、
前記第２のセンサを使用して、患者に関連する第２の医療特性データを収集することであって、前記使用は、前記第２の医療特性データを前記ハブに送信することを含むことと、
ハブを用いて、前記第１および第２の医療特性データを前記データネットワークに送信することと、
ユーザインタフェースで、処理された第１および第２の医療特性データを前記データネットワークから受信することであって、前記ユーザインタフェースは、前記ハブに通信可能に接続することと、
を備える、方法。
（発明３７）
発明３６に記載の患者通信システムの使用方法であって、前記第１のセンサの前記使用は、カテーテルを前記患者の血管に導入することを含み、前記第１のセンサは前記カテーテルの遠位端に配置される、方法。
（発明３８）
発明３６に記載の患者通信システムの使用方法であって、第１の医療特性データを収集するための前記第１のセンサの前記使用は、血管内超音波（ＩＶＵＳ）撮像データ、血管内光音響（ＩＶＰＡ）撮像データ、光干渉断層撮影（ＯＣＴ）データ、フォワードルッキングＩＶＵＳ（ＦＬ−ＩＶＵＳ）データ、冠血流予備量値（ＦＦＲ）データ、冠血流予備能（ＣＦＲ）データ、および血管造影データのうちの１つを収集することを含む、方法。
（発明３９）
発明３６に記載の患者通信システムの使用方法であって、前記第１および第２の医療特性データは、お互いに異なる第１および第２の感知手法にそれぞれ関連する、方法。